(57)【要約】【課題】トイレの洗浄水供給装置を操作しやすくし、障害物があってもこれを回避する。【解決手段】可動ボタン１１が押されると揺動プレート１３の下が押され、チューブ１５からワイヤー１４が引かれ、これにより洗浄水供給装置ＷのコックボタンＫの周りに固定された本体板２１に対して作動プレート２２が引かれ、押圧突起２３によって、コックボタンＫが押され、便器Ｂに給水されて洗浄される。ワイヤー１４及びチューブ１５は、湾曲してこの湾曲状態をさらに変形できるので、ロールペーパー収納箱３１、その他の障害物を迂回できる。本体板２１の挟持部１６の挟持ねじ２０を緩めて、コックボタンＫに対して本体板２１及び作動プレート２２の向きを変えて締めて固定でき、本体板２１及び作動プレート２２は障害物等を避けて取り付けられる。【選択図】図３
2012021377.tif 000002
【特許請求の範囲】
【請求項１】
トイレの洗浄水供給装置と便器との間を仕切る仕切り体と、
この仕切り体に設けられ、この仕切り体の便器側で手動操作によって動き、この動きを弾性的に復帰させる可動体と、
この可動体に一端が連結され、上記可動体の手動操作による動きに応じて引かれ、上記仕切り体の洗浄水供給装置側に配置された、湾曲形状が変形可能なワイヤー体と、
上記トイレの洗浄水供給装置に着脱自在に固定された固定体と、
この固定体に対して可動可能に取り付けられるとともに、上記ワイヤー体の他端が連結され、このワイヤー体の上記引きに応じて、上記トイレの洗浄水供給装置の給水を作動させる作動体とを備えたことを特徴とするトイレ装置。
【請求項２】
上記固定体は、上記トイレの洗浄水供給装置の給水を作動させるためのコックボタンの近辺に固定され、上記作動体はこのコックボタンを作動させることを特徴とする請求項１記載のトイレ装置。
【請求項３】
上記固定体は、上記コックボタンに対して回動可能であり、この回動によって当該コックボタンに対して任意の向きで固定されることを特徴とする請求項２記載のトイレ装置。
【請求項４】
上記コックボタンの根元は円環状の円環状部であり、上記固定体の一部はこの円環状部に着脱自在に固定可能であり、これにより上記固定体は、上記コックボタンに対して任意に回動可能であり、この回動によって当該コックボタンに対して任意の向きで固定されることを特徴とする請求項３記載のトイレ装置。
【請求項５】
上記ワイヤー体は、湾曲形状が変形可能な筒体内に収納され、当該ワイヤー体はこの筒体の両端から露出しており、  この筒体の一端は上記仕切り体の上記可動体付近の洗浄水供給装置側に固定され、当該筒体の他端は上記固定体に固定され、  当該ワイヤー体の一端は上記可動体に連結され、当該ワイヤー体の他端は上記作動体に固定されることを特徴とする請求項４記載のトイレ装置。
【請求項６】
上記作動体によって、上記トイレの洗浄水供給装置のコックボタンの復帰力は上記作動体及びワイヤー体を通じて上記可動体に伝えられ、  上記可動体の弾性的な復帰力は、上記トイレの洗浄水供給装置のコックボタンの復帰力によって達成されることを特徴とする請求項５記載のトイレ装置。
【請求項７】
上記仕切り体の洗浄水供給装置側には、複数のロールペーパーを一列に収納して、この複数の一列のロールペーパーの端のロールペーパーを上記仕切り体の便器側に露出させるロールペーパー収納体が取り付けられており、上記ワイヤー体はこのロールペーパー収納体を迂回していることを特徴とする請求項６記載のトイレ装置。
【請求項８】
上記仕切り体は、トイレの洗浄水供給装置と便器との間に設けられた枠体に取り付けられ、 この枠体の上記洗浄水供給装置と反対側には壁体が取り付けられ、この壁体に上記仕切り体の下縁を支える支持体が設けられ、この支持体の支持によって、上記枠体及び壁体に対して仕切り体の上縁が開閉可能となっていることを特徴とする請求項５または６記載のトイレ装置。
【発明の詳細な説明】
【技術分野】
【０００１】
本発明は、トイレ装置に関し、特に既存のトイレに付加して、洗浄を容易にするものに関する。
【背景技術】
【０００２】
近年、既存のトイレに種々の装置を付加して、便器の洗浄を容易にしたり、トイレットペーパーの供給を便利にしたりするものが考えられてきている。しかし、このような容易さ及び便利さは不十分なものであった。
【０００３】
【特許文献１】特許４３８７１０９
【特許文献２】特開２００３−１３５３０７号公報
【特許文献３】特開２００２−０４５３０４号公報
【特許文献４】特開昭６３−１７６５３７号公報
【発明の開示】
【発明が解決しようとする課題】
【０００４】
本件発明は、上述した課題を解決するためになされたものであり、本発明の目的は、便器の洗浄を容易にすること等にある。
【課題を解決するための手段】
【０００５】
上記目的を達成するために、本発明のトイレ装置は、  トイレの洗浄水供給装置と便器との間を仕切る仕切り体と、  この仕切り体に設けられ、この仕切り体の便器側で手動操作によって動き、この動きを弾性的に復帰させる可動体と、  この可動体に一端が連結され、上記可動体の手動操作による動きに応じて引かれ、上記仕切り体の洗浄水供給装置側に配置された、湾曲形状が変形可能なワイヤー体と、  上記トイレの洗浄水供給装置に着脱自在に固定された固定体と、  この固定体に対して可動可能に取り付けられるとともに、上記ワイヤー体の他端が連結され、このワイヤー体の上記引きに応じて、上記トイレの洗浄水供給装置の給水を作動させる作動体とを備えた。
【発明の効果】
【０００６】
これにより、トイレの洗浄水供給装置からワイヤー体の長さ分、離れた位置の、操作し易い個所の可動体を手動操作すれば、便器を洗浄できて、便器の洗浄を容易にすることができる。特に、障害者または高齢者などにとって、トイレの洗浄水供給装置が操作しにくい個所にあるとき、これを改善できる。
【発明を実施するための最良の形態】
【０００７】
（１）トイレ装置の仕切り板２等の取り付け構造
図１及び図２はトイレ装置の外観を示す。既存のトイレの便器Ｂの前には、フラッシュバブル式のトイレの洗浄水供給装置Ｗが設けられている。この洗浄水供給装置Ｗは、二本の金属パイプがトイレの床面などから立設されており、この二本の金属パイプの一方が水道管につながり、他方が便器に繋がっている。
【０００８】
これら二本の金属パイプの上端をつなぐように連結され、この連結部分の一方のパイプの上側付近には、コックボタンＫが設けられている。このコックボタンＫを押すと、水道管からの水が一定量便器Ｂ内に送り込まれ、便器Ｂへの給水及び洗浄が行われる。
【０００９】
この便器Ｂと上記洗浄水供給装置Ｗとの間のトイレの床上には、金属製の枠組１（枠体）が例えば「＃の字状」の格子状に立設されている。この「＃の字状」の中央の枠組１には、木製の仕切り板２が開閉自在に取り付けられており、この仕切り板２の周囲の枠組１には、木製の化粧板Ｃ（壁体）が固定されている。
【００１０】
したがって、仕切り板２によって、トイレの便器Ｂと洗浄水供給装置Ｗとが仕切られる。また、枠組１に対して、洗浄水供給装置Ｗは奥側に設けられ、仕切り板２及び化粧板Ｃは手前側に設けられ、両者は枠組１に対して反対側に設けられる。
【００１１】
上記「＃の字状」の中央の方形の下枠の枠組１の前面には上記化粧板Ｃ（壁体）が接着テープ等で固定され、この化粧板Ｃの上縁は下枠の枠組１の上面より上方に位置しており、この下枠の枠組１の上側で、化粧板Ｃの裏面には、金属製の支持枠３（支持体）が接着テープ等で固定またはねじ留めされている。
【００１２】
この支持枠３は仕切り板２の幅とほぼ同じ長さであり、横に延びている。この支持枠３は板状であり、中央部分は「コ字状」に後方へ突出しており、この突出部分の凸条４（支持体）も横に延びている。この凸条４の左右両端付近の上面には金属製の受けボルト５、５（支持体）がナットによって固定されている。この受けボルト５、５の上面はマイナスまたはプラスの溝が形成され、ドライバー等で回すと、受けボルト５、５の凸条４上面からの突出量が調整される。
【００１３】
上記仕切り板２の下縁の左右両端の裏面には、長さ数センチメートルの金属製の当て金具６、６（支持体）がねじ留めされている。この当て金具６、６の上部分は、仕切り板２の裏面にネジ留めされ、当該当て金具６、６の下部分は後方へ折り曲げられさらに下方へ折り曲げられ、この下方に延びた部分の前面には別の板金具が溶接され、この板金具は前方へ折り曲げられさらに下方へ折り曲げられている。
【００１４】
このため、当て金具６、６の下面は「コ字状」に凹んでおり、この凹みが上記支点ボルト５、５の上に乗って入り込み、仕切り板２を化粧板Ｃの上に安定的に乗せることができるし、仕切り板２が化粧板Ｃの上に安定的に支持／固定される。したがって、仕切り板２の下縁は、上記支持枠３（支持体）、凸条４（支持体）、受けボルト５、５（支持体）によって支えられ、仕切り板２の上縁が開閉可能とされる。
【００１５】
上記下枠の枠組１の上には、支持プレート７が固定されている。この支持プレート７は、上記下枠の枠組１に沿って長い金属製の板状であり、このほど長い板の前縁と後縁とが起立されており、この後縁の上記洗浄水供給装置Ｗの二本のパイプが当たる個所が切欠されている。この切欠個所は、支持プレート７の右側と左側に二か所ずつ形成されており、洗浄水供給装置Ｗの設置位置に対応している。
【００１６】
この支持プレート７は省略可能である。この支持プレート７の上面に上記支点ボルト５、５を設けてもよい。この場合でも、仕切り板２を下枠の枠組１に対して安定的に乗せることができるし安定的に支持／固定もできる。しかし、支点ボルト５、５は支持プレート７ではなく、化粧板Ｃに設けたほうが、本トイレ装置の取付工程（改造方法。、生産方法）が簡易になる。
【００１７】
通常、本当トイレ装置の取付者／工事者と洗浄水供給装置Ｗの調整者／交換者／工事者とは異なる。一方がほぼ内壁工事者であり、他方がほぼ水道工事者だからである。もし、支点ボルト５、５を支持プレート７に付けると、（１）支持プレート７及び支点ボルト５、５の下枠の枠組１への取り付け、（２）洗浄水供給装置Ｗの部分交換・位置調整等、（３）仕切り板２等のトイレ装置全体の取り付けの順番で工事をしなくてはならなくなり、トイレ装置の取り付け工事（１）（３）の間に、洗浄水供給装置Ｗの水道工事（２）が入り込むことになる。
【００１８】
なぜなら、支持プレート７に対して、後から洗浄水供給装置Ｗの工事をしなくてはならないからである。また、洗浄水供給装置Ｗの工事の前に支持プレート７を取り付けると、支持プレート７がじゃまになって、洗浄水供給装置Ｗの工事が行いにくいからである。
【００１９】
これに対して、化粧板Ｃに支持枠３及び支点ボルト５、５を取り付けると、（２）洗浄水供給装置Ｗの部分交換・位置調整等、（１）支持枠３及び支点ボルト５、５の化粧板Ｃへの取り付け、（３）仕切り板２等のトイレ装置全体の取り付けの順番で工事をできる。
【００２０】
したがって、洗浄水供給装置Ｗの水道工事（２）の後に、トイレ装置の取付工事（１）（３）をまとめて一回ででき、トイレ装置の取り付け工事の間に洗浄水供給装置Ｗの水道工事が入り込まない。この結果、トイレ装置の取り付け工事が迅速かつより簡易にできる。
【００２１】
また、上述の支点ボルト５、５を支持プレート７に付けると、支点ボルト５、５の調整を、上記（１）と（３）の両方で２回行わなくてはならない。なぜなら、通常支点ボルト５、５を最初に取り付けるときには、仕切り板２が化粧板Ｃからずれないような位置に取り付けるが、洗浄水供給装置Ｗの交換・調整などで、ずれが生じることが多く、さらに支点ボルト５、５の調整が必要になるからである。
【００２２】
これに対して、化粧板Ｃに支持枠３及び支点ボルト５を取り付けると、トイレ装置の取付工事（１）（３）をまとめて一回でできるので、このようなことがなくなり、支点ボルト５、５の調整は一回で済む。
【００２３】
また、仕切り板２と化粧板Ｃとは同じ構造、同じ外観、同じデザインで同時に製作されることが多く、この場合仕切り板２と化粧板Ｃとの寸法も同時に調整され、仕切り板２と化粧板Ｃとの間には一定の隙間が形成される。仕切り板２を化粧板Ｃに対して開閉するために必要だからである。
【００２４】
この場合に、上記仕切り板２の下縁を支える受けボルト５（支持体）が化粧板Ｃに設けられていれば、この仕切り板２と化粧板Ｃとの間の一定の隙間はほぼ保持され大きく変化してしまうことがなく、受けボルト５の調整及び仕切り板２の大きな調整が不要となり、またこの調整はわずかで済む。さらに、仕切り板２と化粧板Ｃとの間の隙間が大きく変化しないので、仕切り板２を円滑に開閉できることにもなる。
【００２５】
上記仕切り板２の両側縁の裏面には、金属製のストッパ板８、８がねじ留めされている。このストッパ板８は後方に向かって突出しており、先端は外側に折り曲げられている。当て金具６、６を支点ボルト５、５の上に乗せたまま、仕切り板２を手前に引くと、上記ストッパ板８、８の折れ曲がった先端は、左右両側の完全縦向きの枠組１の後面に当接し、仕切り板２の上側を開けたままで保持でき、修理、メンテナンス等を行うことができる。
【００２６】
このストッパ板８、８を内側に押さえて湾曲させると、仕切り板２を枠組１全体及び化粧板Ｃからに完全に取り外すことができる。これにより、本トイレ装置全体の交換、修理、メンテナンス等を行うことができる。
【００２７】
また、枠組１及び化粧板Ｃ（壁体）に対して仕切り板２の上縁が開閉可能となっているので、仕切り板２の取り付けが容易になる。さらに、本トイレ装置の取り付け後に、洗浄水供給装置Ｗの調整や工事が必要になったときにも、仕切り板２の上縁を開けてこれを行うことができる。また、仕切り板２の上縁を開けることができれば、仕切り板２を枠組１及び化粧板Ｃから持ち上げて取り外すこともでき、洗浄水供給装置Ｗの調整や工事が容易になる。
【００２８】
（２）トイレ装置の給水構造等
図３及び図４に示すように、仕切り板２を正面からみて左上には金属製の可動ボタン１１（可動体）が設けられている。この可動ボタン１１は押し込み式で、コイルばねが内蔵され、このコイルばねの奥端は可動ボタン１１の外側の奥の固定面に当接され、手前端は可動ボタン１１の手前の可動面に当接され、この可動ボタン１１の奥端は、可動ボタン１１の移動に伴って出没可能となっている。
【００２９】
したがって、この可動ボタン１１は、ばね圧で手前つまり便器Ｂ側に突出して付勢されており、手動操作で押し込まれ、開放すると弾性的に復帰される。この可動ボタン１１の奥側つまり洗浄水供給装置Ｗ側の上側の仕切り板２の裏面には、金属製の支持板１２がねじ留めされている。
【００３０】
この支持板１２は仕切り板２の裏面から垂直に突出しており、この突出部分に揺動プレート１３（可動体）が揺動可能に取り付けられている。この揺動プレート１３の中央部分が揺動の中心軸となり、この中心軸の下部分に、上記可動ボタン１１の奥端が当接している。
【００３１】
この揺動プレート１３の上記中心軸の上端には、金属製のワイヤー１４（ワイヤー体）の一端が連結係止固定されている。このワイヤー１４は、樹脂製のチューブ１５内に収納され、このチューブ１５の一端は、上記支持板１２の先端のさらに折り曲げられた先端に固定されている。
【００３２】
したがって、上記可動ボタン１１を押すと、揺動プレート１３が揺動され、チューブ１５は固定されたまま、チューブ１５からワイヤー１４が引かれる。このワイヤー１４及びチューブ１５は、湾曲形状が変形可能であり、ワイヤー１４の両端はチューブ１５の両端から露出している。
【００３３】
図５及び図６に示すように、上記洗浄水供給装置ＷのコックボタンＫの根元／近辺の外面は円環状の円環部Ｒとなっている。この円環部Ｒには金属製の挟持部１６（固定体）が着脱自在に固定されている。この挟持部１６はほぼ正方形の板状であり、この正方形の板の中央は円形状に切欠されて切欠部１７となっており、この挟持部１６は中央で二分割されている。
【００３４】
この二分割された挟持部１６は、本体側の本体挟持部１８と外側の挟持片１９とに分けられ、この挟持片１９の側面の両端には一対のねじ穴が開けられ、さらに本体挟持部１８にも同じねじ穴が一対開けられ、これらのねじ穴に一対の挟持ねじ２０、２０が螺合されている。この挟持ねじ１９は、上記切欠部１７の両側に位置し、回されることによって、挟持片１９が本体挟持部１８に近づいたり離されたりされ、これにより挟持部１６が円環部Ｒに対して着脱自在とされる。
【００３５】
上記本体挟持部１８の根元には大きな金属製の本体板２１が連結され、この本体板２１は挟持部１６に対して、洗浄水供給装置Ｗの外側方向にほぼ直角に折れ曲がっており、挟持部１６の上下両側に延びていて、挟持部１６の２〜３倍の大きさとなっている。
【００３６】
この本体板２１の下側は「Ｕ字状」に折り曲げられ、この「Ｕ字状」の中に板状の作動プレート２２（作動体）の端が軸支持され、本体板２１に対して作動プレート２２が揺動可能／可動可能とされている。この作動プレート２２の中央より下方には、ねじ状の押圧突起２３が突設されており、この押圧突起２３は上記洗浄水供給装置ＷのコックボタンＫに正面から当接可能となっている。
【００３７】
上記本体板２１の上端には小さいプレートが固定され、このプレートの先に、上記チューブ１５の他端が固定されている。上記ワイヤー１４の他端はこのチューブ１５の他端から露出して、上記作動プレート２２の上端に連結固定される。
【００３８】
したがって、上記可動ボタン１１を押すと、チューブ１５は固定されたまま、上記ワイヤー１４が引かれ、本体板２１に対して作動プレート２２が揺動して、押圧突起２３が洗浄水供給装置ＷのコックボタンＫを押し、便器Ｂに給水されて洗浄される。
【００３９】
上記洗浄水供給装置ＷのコックボタンＫの周囲の円環部Ｒは円形で、これに嵌め込まれる挟持部１６の切欠部１７も円形なので、挟持部１６、本体板２１及び作動プレート２２は、コックボタンＫに対して回動可能となり、コックボタンＫに対する向きを自由に変えることができ、コックボタンＫに対して任意の向きで固定可能となっている。
【００４０】
n
したがって、本トイレ装置を取り付けるとき、障害物等があっても、これを避けるように、挟持部１６、本体板２１及び作動プレート２２の向きを変えることができ、向きを変えても、洗浄水供給装置ＷのコックボタンＫの作動に支障は生じない。
【００４１】
また、洗浄水供給装置ＷにおけるコックボタンＫの位置は、洗浄水供給装置Ｗの正面、側面、背面、上面など、種々の形態があるが、挟持部１６、本体板２１及び作動プレート２２は、洗浄水供給装置Ｗに取り付ける形になっているので、コックボタンＫが洗浄水供給装置Ｗのどのような位置にあっても、挟持部１６、本体板２１及び作動プレート２２を取り付けることができ、種々の洗浄水供給装置Ｗに対応してトイレ装置を取り付けることができる。このため、本トイレ装置の取り付けのときに、洗浄水供給装置ＷにおけるコックボタンＫを付け替える必要もなくなる。
【００４２】
また、本トイレ装置を使用しているうちに、洗浄水供給装置Ｗの向き、位置が変化したり、洗浄水供給装置ＷのコックボタンＫの向き、位置がずれてきたりしても、挟持部１６、本体板２１、作動プレート２２、ワイヤー１４、チューブ１５は、洗浄水供給装置ＷのコックボタンＫに直接連結される。
【００４３】
このため、洗浄水供給装置ＷのコックボタンＫが操作されず給水されないことがなくなる。逆に、ワイヤー１４を可撓性の無いプレート状又は棒状のレバーにした場合には、上記の経年使用によるずれが生じてきて、可動ボタン１１を開放してもコックボタンＫが押されぱなしになることが生じてくるが、上述のような可撓性のあるワイヤー１４などの構造のため、コックボタンＫが押されぱなしになることが防止される。
【００４４】
上記仕切り板２の裏面の洗浄水供給装置Ｗ側のほぼ中央には、縦に延びる直方体状の金属製のロールペーパー収納箱３１がねじ留めされている。このロールペーパー収納箱３１の上側の仕切り板２の表側の便器Ｂ側には、開閉扉３２が設けられている。この開閉扉３２を開けて、ロールペーパー収納箱３１内にロール状のトイレットペーパーＰ（ロールペーパー）Ｐが複数順次上から入れることができる。この開閉扉３２には鍵または磁石付きの開閉鍵などが付けられており、不用意に開閉されず、トイレットペーパーＰを補充するときのみ、係員のみによって開閉される。
【００４５】
ロールペーパー収納箱３１には複数のトイレットペーパーＰが上下に一列に収納される。このロールペーパー収納箱３１の下側の隣であって、上記可動ボタン１１の下側には、仕切り板２の便器Ｂ側には、取り出し部３３が設けられており、この取り出し部３３の中央には芯棒が設けられ、上記ロールペーパー収納箱３１の一番下のトイレットペーパーＰがスライドされて、この芯棒に挿通されて、トイレットペーパーＰが便器Ｂ側に露出される。
【００４６】
上記ワイヤー１４及びチューブ１５は、このロールペーパー収納箱３１を迂回して十分に湾曲できる長さに設定される。そして、この湾曲形状は変形できるので、ロールペーパー収納箱３１の形状、大きさ、幅、高さ、突出量がどのように変わっても、必ず迂回できる。したがって、本トイレ装置を設けた時、ロールペーパー収納箱３１その他の障害物があっても、可動ボタン１１と洗浄水供給装置ＷのコックボタンＫとをつなぐことができる。
【００４７】
なお、可動ボタン１１は、洗浄水供給装置Ｗの上側に設けられても良い。このような場合でも、ワイヤー１４及びチューブ１５は湾曲するし、この湾曲形状は十分に変形するので、可動ボタン１１と洗浄水供給装置ＷのコックボタンＫとを近くても遠くてもつなぐことができる。可動ボタン１１は、トイレットペーパーＰの取り出し部３３の上に合った方が、見やすいし操作もしやすい。
【００４８】
洗浄水供給装置ＷのコックボタンＫ、ロールペーパー収納箱３１、可動ボタン１１の各位置は、仕切り板２上で左右対称など任意に変更されてもよい。例えば、可動ボタン１１はロールペーパー収納箱３の右側、左側、上側または下側に位置してもよいし、洗浄水供給装置Ｗの上、左または右に位置してもよいし、仕切り板２の左右または中央いずれに位置してもよい。
【００４９】
また、洗浄水供給装置Ｗはロールペーパー収納箱３の右側、左側、下側または上側にいずれに位置してもよいし、仕切り板２の右側、左側または中央に位置してもよいし、ロールペーパー収納箱３は仕切り板２の右側、左側または中央に位置してもよい。洗浄水供給装置Ｗの位置は便器Ｂに対して種々の位置があるし、本トイレ装置を設ける位置も洗浄水供給装置Ｗまたは便器Ｂに対して種々変更される。
【００５０】
（３）第二実施形態
上記可動ボタン１１の内蔵のコイルばねの弾性復帰機構は省略されてもよい。この場合、本体板２１（固定体）に取り付けられた作動プレート２２（作動体）の押圧突起２３（作動体）の先端が、洗浄水供給装置ＷコックボタンＫに接触／当接される。
【００５１】
これにより、コックボタンＫが押された時の復帰力が、押圧突起２３及び作動プレート２２を通じ、ワイヤー１４の他端が引かれ、揺動プレート１３（可動体）が引き戻され、可動ボタン１１が押し戻され、上記コイルばねは省略可能となる。このように、可動ボタン１１の弾性的な復帰力は、洗浄水供給装置ＷのコックボタンＫによって達成される。
【００５２】
本トイレ装置を使用しているうちにワイヤー１４が伸びてきて、押圧突起２３とコックボタンＫとの間に隙間ができると、図５において、押圧突起２３の根元のナットを回せばよい。そうすると、押圧突起２３の突出量を調整して、押圧突起２３をコックボタンＫに接触／当接させることができる。また、ワイヤー１４の他端と作動プレート２２との間にスペーサーを入れて、同様に調整できる。
【００５３】
このようなワイヤー１４が延びたときの調整は、可動ボタン１１に上記コイルばねのような弾性復帰機構が備ええられ、押圧突起２３とコックボタンＫとの間に隙間がある実施形態でもなされる。
【００５４】
上述の各実施形態（実施例）において、当該実施形態（実施例）で記載されていないことは、他の実施形態（実施例）の記載されている内容が参照及び引用される。本願明細書及び特許請求の範囲においては、上記複数の実施形態（実施例）にわたって、各部または一部を入れ替えた実施形態（実施例）も、上記各実施形態（実施例）として記載されているものである。
【００５５】
（４）他の実施の形態
本発明は、上記実施例に限定されず、種々変更可能である。例えば、円環部Ｒ及び挟持部１６の切欠部１７の形状は円形のほか、正八角形、正六角形、正四角形等の正多角形等でもよく、垂直方向のほか、水平方向斜め４５度、６０度、３０度など、任意に向きを変えることができればよい。
【００５６】
挟持部１６の切欠部１７は、つめとこれと係合するつめ歯車とこのつめ歯車を一方向にのみ付勢する、つめ歯車の軸に巻回されるコイルばねまたはラチェット機構のように、コックボタンＫの周囲の円環部Ｒに対して、本体板２１及び作動プレート２２が間欠的に回転されるとともに、回転された位置が保持されてもよい。
【００５７】
作動プレート２２（作動体）は、支点と力点の間に作用点があったが、揺動プレート１３のように、力点と作用点の間に支点があってもよいし、支点と作用点の間に力点があってもよい。この場合、ワイヤー１４の取り付け方向は逆になる。
【００５８】
また、このようなテコ式のほか、ワイヤー１４で直接コックボタンＫを押しても良い。この場合、ワイヤー１４の他端が複数に分離され、この分離されたワイヤー１４の先端に円板が固定され、この円盤がコックボタンＫに当接または接着される。
【００５９】
可動ボタン１１（可動体）と揺動プレート１３とはリンク機構のように連結されていてもよい。揺動プレート１３は、作用点と力点の間に支点があったが、作動プレート２２のように、支点と力点の間に作用点があってもよいし、支点と作用点の間に力点があってもよい。この場合、ワイヤー１４の取り付け方向は逆になる。
【００６０】
また、このようなテコ式のほか、ワイヤー１４が可動ボタン１１で直接引かれてもよい。この場合、ワイヤー１４の一端がプーリーで反転されて可動ボタン１１の奥端に結び着けられたり、固定されたりされる。
【００６１】
可動ボタン１１（可動体）には弾性的に復帰させる機構が設けられていたが、洗浄水供給装置Ｗとワイヤー１４の他端とをつないで、ワイヤー１４を弾性的に引くコイルバネなどが連結されて、ワイヤー１４及び可動ボタン１１の弾性復帰機構が洗浄水供給装置Ｗ側に設けられてもよい。
【００６２】
コックボタンＫの形状は押しボタン式のほか、手で握るレバー式などでもよい。このような場合には、挟持部１６に対して作動プレート２２が、平行ではなく直交する向きに配置され、作動プレート２２がワイヤー１４によって引かれると、作動プレート２２がこのレバーをレバーの動く方向に沿って横から押して向きを変えて給水させることになる。
【００６３】
挟持部１６を取り付けるのは、コックボタンＫの根元の円環部Ｒのほか、パイプの途中、パイプの湾曲部または折曲部、パイプの上端、タンク、レバーの根元などどこでもよい。この場合、挟持部１６の代わりにパイプ、タンクなどに周囲に巻き付けられる緊縮バンド、パイプ外面に沿って湾曲した帯状の金具などでもよい。
【００６４】
チューブ１５（筒体）は省略されても良い。この場合、ワイヤー１４はテンションのある状態で、直線的に張られる。この場合、可動ボタン１１と洗浄水供給装置ＷのコックボタンＫとの間には障害物が無いようにされる。ワイヤー１４は、紐状、帯状、パイプ状、チェーン状など、湾曲形状が変形可能であれば何でもよい。
【００６５】
チューブ１５（筒体）は、パイプ状、箱状、その他種々の形状の物体でもよく、これらの中にワイヤー１４が挿通される穴が開いていればよい。また、チューブ１５はリール、プーリー等のワイヤー１４が架け渡されるものでもよい。このようなリール、ワイヤーの外側面はチューブ内面に似た凹溝状をしており、均等の機能を発揮する。
【００６６】
仕切り板２（仕切り体）は、板状のほか、ブロック状、衝立状、箱状、網状、格子状、家具状、扉状、窓状、建具状、透明体等でもよいし、表面は平坦のほか、湾曲していても球面でもよい。可動ボタン１１は押しボタン式のほか、スライド式または回動式のレバー等でもよい。この場合、このレバーがばね付勢され、このレバーにワイヤー１４が連結され、ばね付勢に抗してレバーを動かすと、ワイヤー１４が引かれ、レバーを緩めるとばね付勢に沿ってレバーが戻される。
【００６７】
さらに、このような可動ボタン１１（可動体）は電磁ソレノイド等が付加されてもよい。これにより、力の弱い障害者・高齢者でも可動ボタン１１を操作できる。洗浄水供給装置ＷのコックボタンＫは電磁式であってもよく、このような電磁式の洗浄水供給装置ＷのコックボタンＫに、挟持部１６、本体板２１、作動プレート２２等が取り付けられる。
【００６８】
上記洗浄水供給装置ＷのコックボタンＫの円環部Ｒ自体が回転できてもよい。これにより、挟持部１６、本体板２１、作動プレート２２の洗浄水供給装置ＷのコックボタンＫに対する取り付けの向きを変えなくても、挟持部１６、本体板２１、作動プレート２２の向きを変えられる。ワイヤー１４及びチューブ１５は、ロールペーパー収納箱３１の下側のほか、上側、左側、右側、後ろ側、手前側などを迂回していてもよい。
【００６９】
取り出し部３３はロールペーパー収納箱３１の下側の横ではなく、ロールペーパー収納箱３１の真下、真上などに設けられてもよい。ロールペーパー収納箱３１は何雨、横向きなどでもよく、トイレットペーパーＰが一列に収納されるが、二列以上、複数列に収納されてもよい。トイレットペーパーＰは、ティッシュペーパー、便座クリーニングペーパー等であってもよく、ロール状以外の物でもよい。
【００７０】
支持枠３（支持体）は、横に延びる細長い板状のほか、受けボルト５付近だけに設けられてもよく、凸条（支持体）４は断面「コ字状」のほか、断面「Ｌ字状」、断面「Ｔ字状」、断面「Ｖ字状」、板状、ロックナット状、Ｕナット状、キャップ状など、受けボルト５を支えることができればどのような形状でもよい。
【００７１】
受けボルト５は、ねじ式以外に、ピン、突起、支柱など、仕切り板２を支えることができれば何でもよいし、支持枠３と一体成型されてもよい。このような受けボルト５または支持枠３は、化粧板Ｃの裏面のほか、化粧板Ｃの上縁、前面、側縁などの設けられてもよいし、支持プレート７または枠組１の上に設けられてもよい。
【００７２】
当て金具６（支持体）の下面は、溝状のほか、テーパー状に凹んでいてもよいし、円柱状または角柱状に凹んでいてもよい。また、受けボルト５及び支持枠３は仕切り板２側に取り付けられ、当て金具６は化粧板Ｃ、枠組１または支持プレート７側に設けられてもよい。
【００７３】
ストッパ板８は、コイルばね、折り畳み可能に連結された二枚以上の板などでもよい。この場合、コイルばね、折り畳み可能に連結された二枚以上の板の一端は、仕切り板２の側縁に固定され、他端は化粧板Ｃの側縁または枠組１に固定される。このようなコイルばね、折り畳み可能に連結された二枚以上の板の一端または他端は、仕切り板２の側縁または化粧板Ｃの側縁または枠組１から取り外し可能とされる。
【００７４】
上記化粧板Ｃ（壁体）は板状のほか、ブロック状、箱状、衝立状、網状、格子状、家具状、扉状、窓状、建具状、透明体でもよく、表面は平坦のほか、湾曲していても球面でもよい。仕切り板２の上縁が枠組１及び化粧板Ｃに対して開閉可能となるほか、下縁、右縁、左縁が枠組１及び化粧板Ｃに対して開閉可能となっていてもよい。この場合、開閉できて着脱もできる金具が、仕切り板２の下縁、右縁、左縁と枠組１及び化粧板Ｃとの間に設けられる。
【００７５】
便器Ｂは洋式、和式いずれでもよいし、本トイレ装置が取り付けられるトイレは、フラッシュバルブ式のほか、ハイタンク式、ロータンク式、ブローアウト式、サイホンゼット式、洗い落とし式、洗い出し式、セミサイホン式、ネオボルテックス式、ワイルドボルテックス式サイホン式、サイホンゼット式、ブローアウト式、サイホンボルテックス式、水道直圧式、シーケンシャルバルブ式、ダイレクトバルブ式、ターントラップ式、ハイブリッドエコロジーシステムなどいずれでもよい。
【００７６】
上述の枠組１、仕切り板２、支持枠３、凸条４、受けボルト５、当て金具６、支持プレート７、ストッパ板８、可動ボタン１１、支持板１２、揺動プレート１３、ワイヤー１４、チューブ１５、挟持部１６、切欠部１７、本体挟持部１８、挟持片１９、挟持ねじ２０、本体板２１、作動プレート２２、押圧突起２３、ロールペーパー収納箱３１、開閉扉３２、取り出し部３３、洗浄水供給装置ＷのコックボタンＫ、化粧板Ｃ、円環部Ｒ、便器Ｂ、トイレットペーパーＰの一部または全体は省略されてもよいし、その数が増えても減ってもよいし、その形状は任意に変更可能であり、均等の他の物に置き換えられてもよいし、これらの２つまたは３つ以上が合体または一体化されて兼用されてもよいし、材質は木製、集成材製、合成材製、合板製、表面に化粧紙が接着されたもの、竹製、樹脂製、金属製、ガラス製、綿製、布製、糸製、繊維製、ゴム製、紙製、セラミック製、カーボン製、硬質ウレタン製、これらの合成物製／混合物製／多層積層物製でもよいし、それぞれの間の固定はボルト及びナット、ねじ、接着剤、接着テープ、フック及びホック、磁石などなんでもよい。
【００７７】
これらの他の実施の形態（実施例）において、当該実施形態（実施例）で記載されていないことは、他の実施形態（実施例）の記載されている内容が参照及び引用される。本願明細書及び特許請求の範囲においては、これらの複数の実施形態（実施例）にわたって、各部または一部を入れ替えた実施形態（実施例）も、上記各実施形態（実施例）として記載されているものである。
【００７８】
（５）他の発明の効果
［１］トイレの洗浄水供給装置と便器との間を仕切る仕切り体と、  この仕切り体に設けられ、この仕切り体の便器側で手動操作によって動き、この動きを弾性的に復帰させる可動体と、  この可動体に一端が連結され、上記可動体の手動操作による動きに応じて引かれ、上記仕切り体の洗浄水供給装置側に配置された、湾曲形状が変形可能なワイヤー体と、
上記トイレの洗浄水供給装置に着脱自在に固定された固定体と、  この固定体に対して可動可能に取り付けられるとともに、上記ワイヤー体の他端が連結され、このワイヤー体の上記引きに応じて、上記トイレの洗浄水供給装置の給水を作動させる作動体とを備えたことを特徴とするトイレ装置。
【００７９】
［２］上記固定体は、上記トイレの洗浄水供給装置の給水を作動させるためのコックボタンの近辺に固定され、上記作動体はこのコックボタンを作動させることを特徴とする請求項１記載のトイレ装置。これにより、固定体と作動体とが接近しているので、本トイレ装置及び洗浄水供給装置を使用しているうちに、固定体と作動体との間隔が多少変化してもこれが増大されることがなく対応でき、もし固定体が可動体付近に設けられていれば、当該間隔変化が増大されるが、このようなことがなくなる。
【００８０】
［３］上記固定体は、上記コックボタンに対して回動可能であり、この回動によって当該コックボタンに対して任意の向きで固定されることを特徴とする請求項２記載のトイレ装置。これにより、洗浄水供給装置の形態や向きが種々変化したり、洗浄水供給装置の周囲に障害物があったりしても、固定体の向きを変えて対応できる。
【００８１】
［４］上記コックボタンの根元は円環状の円環状部であり、上記固定体の一部はこの円環状部に着脱自在に固定可能であり、これにより上記固定体は、上記コックボタンに対して任意に回動可能であり、この回動によって当該コックボタンに対して任意の向きで固定されることを特徴とする請求項３記載のトイレ装置。これにより、固定体は無段階に向きを変えることができ、洗浄水供給装置の形態や向き変化、洗浄水供給装置の周囲の障害物に、より細かく対応できる。
【００８２】
［５］上記ワイヤー体は、湾曲形状が変形可能な筒体内に収納され、当該ワイヤー体はこの筒体の両端から露出しており、  この筒体の一端は上記仕切り体の上記可動体付近の洗浄水供給装置側に固定され、当該筒体の他端は上記固定体に固定され、  当該ワイヤー体の一端は上記可動体に連結され、当該ワイヤー体の他端は上記作動体に固定されることを特徴とする請求項４記載のトイレ装置。これにより、ワイヤー体を湾曲できるし、この湾曲形状をさらに変形でき、可動体と作動体との間に障害物があっても可動体と作動体とを連結できる。
【００８３】
［６］上記作動体によって、上記トイレの洗浄水供給装置のコックボタンの復帰力は上記作動体及びワイヤー体を通じて上記可動体に伝えられ、  上記可動体の弾性的な復帰力は、上記トイレの洗浄水供給装置のコックボタンの復帰力によって達成されることを特徴とする請求項５記載のトイレ装置。これにより、弾性的に復帰させる機構が可動体に不要となる。
【００８４】
［７］上記仕切り体の洗浄水供給装置側には、複数のロールペーパーを一列に収納して、この複数の一列のロールペーパーの端のロールペーパーを上記仕切り体の便器側に露出させるロールペーパー収納体が取り付けられており、上記ワイヤー体はこのロールペーパー収納体を迂回していることを特徴とする請求項６記載のトイレ装置。これにより、ロールペーパー収納体があっても、ワイヤー体によって、可動体と作動体とを連結でき、しかもトイレに必要なロールペーパーを供給できる。
【００８５】
［８］上記仕切り体は、トイレの洗浄水供給装置と便器との間に設けられた枠体に取り付けられ、 この枠体の上記洗浄水供給装置と反対側には壁体が取り付けられ、この壁体に上記仕切り体の下縁を支える支持体が設けられ、この支持体の支持によって、上記枠体及び壁体に対して仕切り体の上縁が開閉可能となっていることを特徴とする請求項５または６記載のトイレ装置。
【００８６】
これにより、洗浄水供給装置の水道等の工事の後に、支持体の取り付けと仕切り体等のトイレ装置全体の取り付けとをまとめて一回ででき、トイレ装置の取り付け工事の間に洗浄水供給装置の水道工事が入り込まず、トイレ装置の取り付け工事が迅速かつより簡易にできる。また、枠体及び壁体に対して仕切り体の上縁が開閉可能となっているので、仕切り体の取り付けが容易になる。
【００８７】
さらに、本トイレ装置の取り付け後に、洗浄水供給装置の調整や工事が必要になったときにも、仕切り体の上縁を開けてこれを行うことができる。仕切り体の上縁を開けることができれば、仕切り体を枠体及び壁体から持ち上げて取り外すこともでき、洗浄水供給装置の調整や工事が容易になる。
【００８８】
また、仕切り体と壁体（化粧板Ｃ）とは同じ構造、同じ外観、同じデザインで同時に製作されることが多く、この場合仕切り体と壁体との寸法も同時に調整され、仕切り体と壁体との間には一定の隙間が形成される。この場合に、上記仕切り体の下縁を支える支持体が壁体に設けられていれば、この仕切り体と壁体との間の一定の隙間はほぼ保持され大きく変化してしまうことがなく、支持体の調整及び仕切り体の大きな調整が不要となるし、仕切り体と壁体との間の隙間が大きく変化しないので、仕切り体を円滑に開閉できる。
【産業上の利用可能性】
【００８９】
トイレの洗浄水供給装置を操作しやすくし、障害物があってもこれを回避する。可動ボタン１１が押されると揺動プレート１３の下が押され、チューブ１５からワイヤー１４が引かれ、これにより洗浄水供給装置ＷのコックボタンＫの周りに固定された本体板２１に対して作動プレート２２が引かれ、押圧突起２３によって、コックボタンＫが押され、便器Ｂに給水されて洗浄される。
【００９０】
ワイヤー１４及びチューブ１５は、湾曲してこの湾曲状態をさらに変形できるので、ロールペーパー収納箱３１、その他の障害物を迂回できる。本体板２１の挟持部１６の挟持ねじ２０を緩めて、コックボタンＫに対して本体板２１及び作動プレート２２の向きを変えて締めて固定でき、本体板２１及び作動プレート２２は障害物等を避けて取り付けられる。
【図面の簡単な説明】
【００９１】
【図１】トイレ装置の正面を示す。
【図２】トイレ装置の側面（断面）を示す。
【図３】トイレ装置の背面を示す。
【図４】トイレ装置の可動ボタン１１の断面を示す。
【図５】トイレ装置のトイレの洗浄水供給装置Ｗに取り付けられた本体板（固定体）２１及び作動プレート（作動体）２２の背面を示す。
【図６】トイレ装置の本体板（固定体）２１及び作動プレート（作動体）２２の側面を示す。
【符号の説明】
【００９２】
１…枠組（枠体）、２…仕切り板（仕切り体）、
３…支持枠（支持体）、４…凸条（支持体）、
５…受けボルト（支持体）、６…当て金具（支持体）、
７…支持プレート、８…ストッパ板、
１１…可動ボタン（可動体）、１２…支持板、
１３…揺動プレート（可動体）、１４…ワイヤー（ワイヤー体）、
１５…チューブ（筒体）、１６…挟持部（固定体）、
１７…切欠部（固定体）、１８…本体挟持部（固定体）、
１９…挟持片（固定体）、２０…挟持ねじ（固定体）、
２１…本体板（固定体）、２２…作動プレート（作動体）、
２３…押圧突起（作動体）、
３１…ロールペーパー収納箱（ロールペーパー収納体）、
３２…開閉扉、３３…取り出し部（露出部）、
Ｂ…便器、Ｗ…トイレの洗浄水供給装置、
Ｋ…コックボタン、Ｃ…化粧板（壁体）、
Ｒ…円環部、Ｐ…トイレットペーパー（ロールペーパー）。
【図１】
2012021377.tif 000003
【図２】
2012021377.tif 000004
【図３】
2012021377.tif 000005
【図４】
2012021377.tif 000006
【図５】
2012021377.tif 000007
【図６】
2012021377.tif 000008